(57)【要約】【課題】様々な回転位置に設置可能な補助テーブルの有効利用によりキッチンスペースの効率的な活用を図ることができ、補助テーブル用の椅子に関してもキッチンスペースの効率的な活用を図ることのできるアイランド型のキッチン。【解決手段】加熱調理具（１）が設けられたメインカウンター（２）と、メインカウンターの一端近傍に位置する所定回転軸線を中心として回転可能な補助テーブル（３）と、所定回転軸線を中心とする円柱状の形態を有し、下端から所定の高さ位置まで延びた直径の比較的小さい小径部（５ｂ）を有する円柱部（５）と、小径部の外周面にほぼ接するように収納可能な折畳み椅子（１０）とを備えている。【選択図】  図７
2005006936.tif 000002
【特許請求の範囲】
【請求項１】
アイランド型のキッチンにおいて、
加熱調理具が設けられたメインカウンターと、
前記メインカウンターの一端近傍に位置する所定回転軸線を中心として回転可能な補助テーブルと、
前記所定回転軸線を中心とする円柱状の形態を有し、下端から所定の高さ位置まで延びた直径の比較的小さい小径部を有する円柱部と、
前記小径部の外周面にほぼ接するように収納可能な折畳み椅子とを備えていることを特徴とするキッチン。
【請求項２】
前記円柱部は、直径の最も小さい前記小径部と、直径の最も大きい大径部と、前記小径部と前記大径部とを結ぶテーパ部とを有することを特徴とする請求項１に記載のキッチン。
【請求項３】
前記円柱部の上端には円形状のシンクが設けられていることを特徴とする請求項１または２に記載のキッチン。
【発明の詳細な説明】
【０００１】
【発明の属する技術分野】
本発明は、アイランド型のキッチンに関するものである。
【０００２】
【従来の技術】
従来、壁に接することなく設置されるアイランド型のキッチンが知られている。このタイプのキッチンでは、アクセス自由度の高い点が特徴であり、この高いアクセス自由度を有効利用するには周囲に比較的大きなスペースが必要になる。したがって、例えば６畳間にアイランド型のキッチンを設置する場合には、キッチンスペースの効率的な活用を図ることが重要である。
【０００３】
実開平４−８１５４８号公報や実開平４−９３６２４号公報には、アイランド型のキッチンに適用してキッチンスペースの効率的な活用を図ることのできる構成が提案されている。これらの公報に開示された構成では、補助テーブルが所定の回転軸線を中心として回転可能に構成され、上記回転軸線を中心とする円柱部の上端には円形状のシンクが設けられている。
【０００４】
【特許文献１】
実開平４−８１５４８号公報
【特許文献２】
実開平４−９３６２４号公報
【０００５】
【発明が解決しようとする課題】
上述の公報に開示された従来の構成をアイランド型のキッチンに適用すると、様々な回転位置に設置可能な補助テーブルの有効利用によりキッチンスペースの効率的な活用を図ることができる。しかしながら、従来技術では、たとえば補助テーブルでの食事や作業に用いる椅子の収納に関する考慮が全くなされていないため、補助テーブル用の椅子に関してはキッチンスペースの効率的な活用が図られていないという不都合があった。
【０００６】
本発明は、前述の課題に鑑みてなされたものであり、様々な回転位置に設置可能な補助テーブルの有効利用によりキッチンスペースの効率的な活用を図ることができ、且つたとえば補助テーブル用の椅子に関してもキッチンスペースの効率的な活用を図ることのできるアイランド型のキッチンを提供することを目的とする。
【０００７】
【課題を解決するための手段】
前記課題を解決するために、本発明では、アイランド型のキッチンにおいて、
加熱調理具が設けられたメインカウンターと、
前記メインカウンターの一端近傍に位置する所定回転軸線を中心として回転可能な補助テーブルと、
前記所定回転軸線を中心とする円柱状の形態を有し、下端から所定の高さ位置まで延びた直径の比較的小さい小径部を有する円柱部と、
前記小径部の外周面にほぼ接するように収納可能な折畳み椅子とを備えていることを特徴とするキッチンを提供する。
【０００８】
本発明の好ましい態様によれば、前記円柱部は、直径の最も小さい前記小径部と、直径の最も大きい大径部と、前記小径部と前記大径部とを結ぶテーパ部とを有する。また、前記円柱部の上端には円形状のシンクが設けられていることが好ましい。
【０００９】
【発明の実施の形態】
本発明にかかるアイランド型のキッチンは、加熱調理具が設けられたメインカウンターの一端近傍に位置する所定回転軸線を中心として回転可能な補助テーブルと、この所定回転軸線を中心とする円柱状の形態を有し且つ下端から所定の高さ位置まで延びた直径の比較的小さい小径部を有する円柱部とを備えている。そして、円柱部の小径部の外周面にほぼ接するように折畳み椅子を収納可能である。
【００１０】
本発明では、たとえば補助テーブルでの食事や作業に用いるための複数の折畳み椅子を備え、不使用時にはこれらの複数の折畳み椅子を円柱部の小径部の外周面にほぼ接するように収納する。こうして、本発明にかかるアイランド型のキッチンでは、様々な回転位置に設置可能な補助テーブルを有効利用することによりキッチンスペースの効率的な活用を図ることができるだけでなく、たとえば補助テーブル用の椅子に関しても、不使用時にはキッチンへのアクセス自由度を損なう恐れがないように円柱部の小径部の外周面にほぼ接するように収納することによりキッチンスペースのさらに効率的な活用を図ることができる。
【００１１】
なお、本発明では、円柱部が、直径の最も小さい小径部と、直径の最も大きい大径部と、小径部と大径部とを結ぶテーパ部とを有することが好ましい。この構成では、出っ張りの少ない効率的な形態にしたがって折畳み椅子を収納することができる。また、本発明では、円柱部の上端にシンクが設けられていることが好ましい。この構成では、アクセス自由度が高く使い勝手の良い位置にシンクを設置することができる。
【００１２】
本発明の実施形態を、添付図面に基づいて説明する。
図１は、本発明の実施形態にかかるアイランド型のキッチンの構成を概略的に示す図であって、（ａ）は正面図を、（ｂ）は側面図をそれぞれ示している。また、図２は、本実施形態のアイランド型キッチンの構成を概略的に示す図であって、（ａ）は上面図を、（ｂ）は（ａ）の線Ａ−Ａに沿った断面図をそれぞれ示している。
【００１３】
また、図３は、シンク、メインカウンター、ダイニングテーブル、サブテーブル、および回転式収納部と円柱部の本体構造との係合を概略的に示す図である。また、図４は、本実施形態のアイランド型キッチンにおける電力供給経路、給水経路、給湯経路、排水経路などを説明する図である。また、図５は、本実施形態のアイランド型キッチンの典型的な利用状態を概略的に示す図である。
【００１４】
また、図６は、本実施形態にかかる折畳み椅子の取扱い操作を概略的に説明する図である。なお、図６において、上段は折畳み椅子の上面図を、下段は折畳み椅子の正面図をそれぞれ示している。また、図７は、本実施形態において折畳み椅子を円柱部の小径部の外周面にほぼ接するように収納した状態を概略的に示す図である。
【００１５】
図１および図２を参照すると、本実施形態のアイランド型キッチンは、たとえばＩＨのような加熱調理器１が設けられたメインカウンター２と、メインカウンター２の一端近傍に位置する第１回転軸線Ｒ１を中心として回転可能なダイニングテーブル（補助テーブル）３と、同じく第１回転軸線Ｒ１を中心として回転可能なサブテーブル（第２補助テーブル）４と、第１回転軸線Ｒ１を中心とする円柱部５とを備えている。
【００１６】
図３を参照すると、メインカウンター２の一端は、円柱部５の本体構造５ａの上端に対して固定的に取り付けられている。その結果、メインカウンター２の一端は円柱部５によって支持され、その他端は例えば円弧状の断面を有する脚部２ａによって支持されている。また、ダイニングテーブル３の一端には円形状の開口部が形成され、この円形開口部が円柱部５の本体構造５ａに対して回転自在に取り付けられている。
【００１７】
その結果、ダイニングテーブル３の一端は第１回転軸線Ｒ１を中心として回転自在に円柱部５によって支持され、その他端は例えばキャスター付きの脚部３ａによって支持されている。また、サブテーブル４の一端にも円形状の開口部が形成され、この円形開口部が円柱部５の本体構造５ａに対して回転自在に取り付けられている。その結果、サブテーブル４の一端は、第１回転軸線Ｒ１を中心として回転自在に、円柱部５によってキャンチレバー形態で支持されている。
【００１８】
また、本実施形態のアイランド型キッチンは、円柱部５に組み込み可能な円筒状の形態を有し且つ第１回転軸線Ｒ１とは実質的に異なる第２回転軸線Ｒ２を中心として回転可能な回転式収納部６を備えている。ここで、第２回転軸線Ｒ２は、図３で明瞭に示すように、回転式収納部６の外周近傍に設定されている。なお、回転式収納部６の内部には、たとえば食器洗浄機が設置されている。
【００１９】
また、円柱部５の上端には円形状のシンク７が設けられ、円柱部５の下端には配管収納部８が設けられている。シンク７の近傍には、水栓９が設けられている。図３を参照すると、水栓９は、円形状のリング部材９ａ（図３では断面だけを示す）と、リング部材９ａに固定された水栓本体９ｂとにより構成されている。ここで、リング部材９ａはシンク７の周囲に回転自在に取り付けられているので、水栓本体９ｂはシンク７の外周に沿って移動可能である。
【００２０】
円柱部５は、図１（ａ）において明瞭に示すように、その下端から所定の高さ位置まで延びた直径の最も小さい小径部５ｂと、その上端に設けられた直径の最も大きい大径部５ｃと、小径部５ｂと大径部５ｃとを結ぶテーパ部５ｄとにより構成されている。この場合、小径部５ｂには、回転式収納部６と配管収納部８とが設けられていることになる。
【００２１】
図４を参照すると、配管収納部８の内部には、たとえば制御ユニット８ａが設けられている。制御ユニット８ａには、給水管８ｂを介して常温水が供給され、給湯管８ｃを介して熱水が供給される。たとえば水栓本体９ｂからの指令により制御ユニット８ａを介して混合され温度調整された温水は、たとえば制御ユニット８ａからリング部材９ａを貫通して水栓本体９ｂに達するシャワーホース８ｄを介して、水栓９に供給される。ただし、制御ユニット８ａを用いることなく、給水管８ｂおよび給湯管８ｃを水栓本体９ｂに直接接続することもできる。
【００２２】
また、たとえばＩＨのような加熱調理器１には、電気配線８ｅを介して電力が供給される。さらに、シンク７からの排水は、たとえば鉛直方向に延びた排水管８ｆを介して、キッチンの外部へ導かれる。シャワーホース８ｄ、電気配線８ｅおよび排水管８ｆは、たとえば図４に示すように、円柱部５の本体構造５ａを鉛直方向に貫通する形態で配設される。
【００２３】
本実施形態では、図５に示すように、様々な回転位置に設置可能なダイニングテーブル（補助テーブル）３およびサブテーブル（第２補助テーブル）４を有効利用することにより、キッチンスペースの効率的な活用を図ることができる。なお、図５では例えば朝食時において採用可能な配置例（ａ）、および例えば夕食時（あるいはパーティ時）において採用可能な配置例（ｂ）を示しているが、これに限定されることなく、様々な配置例が可能である。
【００２４】
また、本実施形態では、たとえば補助テーブルとしてのダイニングテーブル３での食事や作業に用いる椅子１０として、図６に示す取扱い操作にしたがって展開可能で且つ折畳み可能な折畳み椅子を用いている。折畳み椅子１０では、背部（後脚を含む）１０ａに座部１０ｂの一端が枢着され、座部１０ｂの他端に前脚１０ｃの一端が枢着されている。
【００２５】
したがって、折畳み椅子１０は、図６（ａ）に示すように全体的に円筒シェル状に折畳み可能であるが、図６（ｂ）に示すように図中矢印方向に沿って座部１０ｂの他端を押し開くことにより、図６（ｃ）に示す使用状態まで展開することができる。逆に、図６（ｃ）に示す矢印方向と逆の方向へ座部１０ｂの他端を押し戻すことにより、図６（ｂ）に示す中間状態を経て、図６（ａ）に示す不使用状態まで折畳むことができる。
【００２６】
以上のように、本実施形態では、たとえば補助テーブルとしてのダイニングテーブル３での食事や作業に用いるための複数の折畳み椅子１０を備えている。そして、図７に示すように、不使用時にはこれらの複数の折畳み椅子１０を円筒シェル状に折畳み、折畳んだ円筒シェル状の複数の折畳み椅子（斜線部も参照）１０を円柱部５の小径部５ｂの外周面にほぼ接するように収納する。ここで、円柱部５の外周面近傍は収納の観点から見て特に有効利用されることのないスペースであり、不使用時にはキッチンへのアクセス自由度を損なう恐れのある複数の椅子１０を上記スペースに収納することにより、キッチンスペースの効率的な活用をさらに図ることができる。
【００２７】
また、本実施形態では、回転式収納部６が円柱部５に組み込まれた状態から、第２回転軸線Ｒ２を中心として回転式収納部６を適宜回転させることにより、回転式収納部５が円柱部５から横方向へ部分的に突出し、この突出部分において回転式収納部６が上方へ開口した状態になる。その結果、回転式収納部６の内部に設置された食器洗浄機に洗浄すべき食器などを収納したり食器洗浄機から洗浄済みの食器などを取り出したりする際に、横方向から回転式収納部６にアクセスして窮屈な姿勢をとる必要がなく、たとえば上方から回転式収納部６にアクセスして楽な姿勢で収納作業および取出作業を行うことができる。
【００２８】
特に、本実施形態では、第２回転軸線Ｒ２が回転式収納部６の外周近傍に設定されているので、第２回転軸線Ｒ２を中心として回転式収納部６を回転させることにより、回転式収納部６の比較的大きな部分が円柱部５から横方向へ突出して上方へ開口した状態になり、回転式収納部６に対する収納作業および取出作業がさらに容易である。
【００２９】
また、本実施形態では、円柱部５の上端にシンク７を設ける構成を採用しているので、アクセス自由度が高く使い勝手の良い位置にシンク７を設置することができる。また、本実施形態では、円柱部５の下端に配管収納部８を設ける構成を採用しているので、回転式収納部６を円柱部５から部分的に横方向へ突出させた状態で、たとえば上方から配管収納部８にアクセスして楽な姿勢で配管などのメンテナンス作業を行うことができる。
【００３０】
また、本実施形態では、上述したように、水栓本体９ｂ（ひいては水栓９）が、円形状シンク７の外周の所定範囲に亘って移動可能に構成されている。したがって、補助テーブルとしてのダイニングテーブル３の回転位置（図５を参照）に応じて、水栓本体９ｂを円形状シンク７の外周に沿って適宜移動させることにより、所望の方向から楽な姿勢で水栓９を使用することができる。
【００３１】
なお、上述の実施形態では、図６に示す取扱い操作にしたがって展開可能で且つ折畳み可能な折畳み椅子を用いている。しかしながら、これに限定されることなく、折畳み椅子の構成については、本発明の範囲内において様々な変形例が可能である。
【００３２】
【発明の効果】
以上説明したように、本発明では、たとえば補助テーブルでの食事や作業に用いるための折畳み椅子を備え、不使用時には折畳み椅子を円柱部の小径部の外周面にほぼ接するように収納する。円柱部の外周面近傍は収納の観点から見て特に有効利用されることのないスペースであり、不使用時にはキッチンへのアクセス自由度を損なう恐れのある椅子を上記スペースに収納することにより、キッチンスペースの効率的な活用をさらに図ることができる。
【００３３】
こうして、本発明にかかるアイランド型のキッチンでは、様々な回転位置に設置可能な補助テーブルの有効利用によりキッチンスペースの効率的な活用を図ることができるだけでなく、たとえば補助テーブル用の椅子に関してもキッチンスペースの効率的な活用を図ることができる。
【００３４】
また、本発明では、円柱部が直径の最も小さい小径部と直径の最も大きい大径部と小径部と大径部とを結ぶテーパ部とを有する構成を採用することにより、出っ張りの少ない効率的な形態にしたがって折畳み椅子を収納することができる。また、本発明では、円柱部の上端にシンクを設ける構成を採用することにより、アクセス自由度が高く使い勝手の良い位置にシンクを設置することができる。
【図面の簡単な説明】
【図１】本発明の実施形態にかかるアイランド型のキッチンの構成を概略的に示す図であって、（ａ）は正面図を、（ｂ）は側面図をそれぞれ示している。
【図２】本実施形態のアイランド型キッチンの構成を概略的に示す図であって、（ａ）は上面図を、（ｂ）は（ａ）の線Ａ−Ａに沿った断面図をそれぞれ示している。
【図３】シンク、メインカウンター、ダイニングテーブル、サブテーブル、および回転式収納部と円柱部の本体構造との係合を概略的に示す図である。
【図４】本実施形態のアイランド型キッチンにおける電力供給経路、給水経路、給湯経路、排水経路などを説明する図である。
【図５】本実施形態のアイランド型キッチンの典型的な利用状態を概略的に示す図である。
【図６】本実施形態にかかる折畳み椅子の取扱い操作を概略的に説明する図である。
【図７】本実施形態において折畳み椅子を円柱部の小径部の外周面にほぼ接するように収納した状態を概略的に示す図である。
【符号の説明】
１  加熱調理器（ＩＨ）
２  メインカウンター
３  ダイニングテーブル（補助テーブル）
４  サブテーブル（第２補助テーブル）
５  円柱部
５ａ  円柱部の本体構造
５ｂ  小径部
５ｃ  大径部
５ｄ  テーパ部
６  回転式収納部
７  シンク
８  配管収納部
９  水栓
１０  折畳み椅子
【図１】
2005006936.tif 000003
【図２】
2005006936.tif 000004
【図３】
2005006936.tif 000005
【図４】
2005006936.tif 000006
【図５】
2005006936.tif 000007
【図６】
2005006936.tif 000008
【図７】
2005006936.tif 000009